(57)【要約】【課題】波長板が搭載されるレンズホルダでは、レンズホルダのワイヤへの固定作業が面倒であり、さらに駆動時に波長板が反射板に衝突する危険性があった。【解決手段】レンズホルダ２３には凹部２３ｓが形成され、この凹部２３ｓの底部に４つの保護部３０ａ〜３０ｄが一体に樹脂で形成されている。各保護部３０ａ，３０ｄによって光学板３２が位置決めされている。このとき、光学板３２が保護部３０ａ，３０ｄの下面より突出しないように設定される。これにより、反射板２８がレンズホルダ２３内に入り込む構成にできるため装置を薄型にでき、さらに光学板３２と反射板２８とが接近したときに、反射板２８は光学板３２には当たらずに保護部３０ａ，３０ｄに当たる。【選択図】    図４
2004178658.tif 000002
【特許請求の範囲】
【請求項１】
記録媒体に対向する側が表側でこれと逆側が裏側とされたレンズホルダと、前記レンズホルダに固定された対物レンズと、ベース部と、前記ベース部上で前記レンズホルダを可動状態に支持する弾性支持部材と、を有する光ピックアップ装置において、
前記レンズホルダの裏側には、基準部および前記基準部よりも裏側に突出する保護部が一体に形成されており、
前記対物レンズよりも裏側に取り付けられる光学板の面が前記基準部に突き当てられて、前記光学板が対物レンズの光軸とほぼ垂直に位置決めされて固定されており、
前記保護部は、前記光学板の縁部に当接しまたは接近して位置し、前記保護部の表面が前記光学板よりも裏側に突出していることを特徴とする光ピックアップ装置。
【請求項２】
前記保護部は、間隔を開けて配置されており、前記光学板は、その対向する縁部がそれぞれ前記保護部の側面により面方向へ位置決めされている請求項１記載の光ピックアップ装置。
【請求項３】
前記レンズホルダの裏側には凹部が形成されて、この凹部の内底部に、前記基準部および保護部が設けられている請求項１または２記載の光ピックアップ装置。
【請求項４】
前記ベース部には、前記光学板に対向する他の光学部材が設けられており、レンズホルダがベース部に向けて移動したときに、前記光学部材が前記保護部の表面に当たる請求項１ないし３のいずれかに記載の光ピックアップ装置。
【請求項５】
複数の前記保護部の表面が、対物レンズの光軸と直交する同一面上に位置しており、光ピックアップ装置の組立て時に、前記保護部の表面を基準としてレンズホルダを治具に対して位置決め可能としている請求項１ないし４のいずれかに記載の光ピックアップ装置。
【請求項６】
レンズホルダに対物レンズおよび光学板さらに必要な部材が取り付けられた状態で、前記光学板の厚み中心がこの組立体の重心に一致する高さに取り付けられている請求項１ないし５のいずれかに記載の光ピックアップ装置。
【発明の詳細な説明】
【０００１】
【発明の属する技術分野】
本発明は、ＤＶＤやＣＤなどのディスク装置に搭載される光ピックアップ装置に係り、特に、レンズホルダに、対物レンズと波長板などの光学板が取り付けられた光ピックアップ装置に関する。
【０００２】
【従来の技術】
図７は従来の光ピックアップ装置のレンズホルダの断面図である。
【０００３】
この光ピックアップ装置５０は、レンズホルダ５１を有し、このレンズホルダ５１がＺ方向（フォーカシング方向）とＸ方向（トラッキング方向）に可動状態で支持される。レンズホルダ５１には上下方向（Ｚ方向）に貫通する光通路となる貫通孔５２が形成されており、前記貫通孔５２のＺ１側に対物レンズ５３が取り付けられている。また貫通孔５２のＺ２側に波長板や開口フィルターなどの光学板５４が取り付けられている。
【０００４】
また、レンズホルダ５１の下側には反射板５５が固定されており、この反射板５５によって光源（図示せず）から入射した光Ｐ１とディスクＤに反射して戻った戻り光をそれぞれ反射させている。
【０００５】
また、従来の光ピックアップ装置として下記特許文献１に示すものは、光ヘッド保持体を有し、この光ヘッド保持体がフォーカス方向とトラッキング方向にそれぞれ移動自在となるようにフレ−ム（支持体）に支持されている。また光ヘッド保持体内には、対物レンズの光軸上に光学部品や開口制限部が設けられ、開口制限部には移動機構が設けられている。この特許文献１に記載のものでは、光ヘッド保持体の重心位置と、開口制限部の移動機構の重心位置をほぼ一致させることで、ヘッドの駆動特性を良好にできる。
【０００６】
【特許文献１】
特開平８−２９７８５１号公報
【０００７】
【発明が解決しようとする課題】
光ピックアップ装置では、レンズホルダに波長板や開口フィルターなどの光学板が必要であるものと、必要でないものとが存在する。一般に、ＤＶＤ−ＲＯＭ、ＤＶＤ−Ｒ、ＤＶＤ−ＲＷなどの複数種の記録媒体に対応させる光ピックアップ装置では、１／４λ板である波長板や開口フィルターなどが取り付けられている。
【０００８】
光ピックアップ装置５０では、対物レンズ５３と光学板５４とが取り付けられた状態で、レンズホルダ５１の重心Ｇの高さ位置を、このレンズホルダ５１を可動状態に支持する弾性支持部材の支持中心と一致させることが望ましく、さらにレンズホルダ５１をフォーカス方向とトラッキング方向へ駆動するための補正駆動手段の駆動中心も前記重心Ｇと同じ高さ位置に設定するのが好ましい。このように重心Ｇを、支持中心と駆動中心に一致させることにより、レンズホルダ５１の前記各方向への補正駆動を安定させることができる。
【０００９】
そのため、図７に示す従来の光ピックアップ装置５０では、重心Ｇを挟んで上側に対物レンズ５３を配置し、下側に光学板５４を配置して、前記重心Ｇの高さ位置を前記支持中心および駆動中心に一致させるようにしている。
【００１０】
そのために、図７に示すように対物レンズ５３と光学板５４とが上下に間隔を開けて取り付けられる構造となり、光学板５４の下面から対物レンズ５３の上面までの高さ寸法が非常に大きくなっている。その結果、光ピックアップ装置５０では、固定ベース上に反射板５５が設けられ、その上に前記のように高さ寸法の大きいレンズホルダ５１が配置されることになり、装置全体としての高さ寸法が大きくなって、薄型化を阻害する要因となっている。
【００１１】
また、装置全体を薄型化するためには、光学板５４と反射板５５とを接近させて組み立てなくてはならないが、このようにすると、フォーカス補正動作においてレンズホルダ５１が下降し、または外部振動などによりレンズホルダ５１が下降したときに、光学板５４の下面５４ａが反射板５５に当たって光学板５４を破損するおそれが生じる。
【００１２】
また、対物レンズ５３および光学板５４が取り付けられたレンズホルダ５１を固定ベース上に取り付ける際に、治具を用いて対物レンズ５３の光軸の傾きなどを矯正しながら、レンズホルダ５１と弾性支持部材とを接着などで固定する作業が必要になる。しかし、図７に示すように、レンズホルダ５１の下面に光学板５４が露出していると、この下面を治具へ当接させて位置決めする際に、光学板５４の下面５４ａに傷を付けるおそれがある。したがって、治具への位置決め基準をレンズホルダ５１の下面以外の部分としなくてはならず、組み立て作業に制約を与えることになる。
【００１３】
また、記録媒体の種類によっては光学板５４が不要な光ピックアップ装置も存在する。しかし図７に示すものにおいて、単純に光学板５４を除去してしまうと、重心Ｇの高さ位置が移動してしまい、フォーカス方向やトラッキング方向への補正動作を不安定にしてしまう。したがって図７に示す構造のレンズホルダ５１を、光学板５４を必要とする機種と光学板５４が不要な機種とで兼用することができない。
【００１４】
本発明は、上記従来の課題を解決するものであり、レンズホルダが動いたときに、光学板に傷がついたり破損するのを防止でき、しかもレンズホルダの下部を位置決め基準として組み立てることが可能になり、さらに全体の薄型化も可能な光ピックアップ装置を提供することを目的としている。
【００１５】
【課題を解決するための手段】
本発明は、記録媒体に対向する側が表側でこれと逆側が裏側とされたレンズホルダと、前記レンズホルダに固定された対物レンズと、ベース部と、前記ベース部上で前記レンズホルダを可動状態に支持する弾性支持部材と、を有する光ピックアップ装置において、
前記レンズホルダの裏側には、基準部および前記基準部よりも裏側に突出する保護部が一体に形成されており、
前記対物レンズよりも裏側に取り付けられる光学板の面が前記基準部に突き当てられて、前記光学板が対物レンズの光軸とほぼ垂直に位置決めされて固定されており、
前記保護部は、前記光学板の縁部に当接しまたは接近して位置し、前記保護部の表面が前記光学板よりも裏側に突出していることを特徴とするものである。
【００１６】
前記光ピックアップ装置では、光学板の縁部近傍に位置する保護部が光学板よりも裏側へ突出しているので、この保護部によって光学板を保護することができ、また保護部を基準としてレンズホルダを組み立てたときに、光学板が傷つくのを防止できる。
【００１７】
なお、前記基準部は、対物レンズの光軸と直交する基準面であってもよいし、あるいは前記基準部はレンズホルダの裏側に突出する複数の突起などであってもよい。
【００１８】
例えば、前記保護部は、間隔を開けて配置されており、前記光学板は、その対向する縁部がそれぞれ前記保護部の側面により面方向へ位置決めされているものである。
【００１９】
このように、保護部によって光学板の面方向への位置決めを行うことも可能である。
【００２０】
さらに、前記レンズホルダの裏側には凹部が形成されて、この凹部の内底部に、前記基準部および保護部が設けられていることが好ましい。
【００２１】
レンズホルダの裏側に凹部が形成されていると、レンズホルダにおいて、対物レンズと光学板とを接近させることができ、また反射板などの他の光学部材を前記凹部に対向させて、あるいは前記凹部内に配置できるため、装置全体を薄型化できる。
【００２２】
すなわち、本発明では、前記ベース部には、前記光学板に対向する他の光学部材が設けられており、レンズホルダがベース部に向けて移動したときに、前記光学部材が前記保護部の表面に当たるようにすることが可能である。これにより光学板を保護することが可能である。
【００２３】
さらに本発明では、複数の前記保護部の表面が、対物レンズの光軸と直交する同一面上に位置しており、光ピックアップ装置の組立て時に、前記保護部の表面を基準としてレンズホルダを治具に対して位置決め可能とする構造にすることもできる。
【００２４】
また、本発明は、レンズホルダに対物レンズおよび光学板さらに必要な部材が取り付けられた状態で、前記光学板の厚み中心がこの組立体の重心に一致する高さに取り付けられているものとすることが好ましい。
【００２５】
このように構成すると、光学板を除去しても、レンズホルダの重心の高さ位置が変わらなくなり、このレンズホルダを、光学板が不要な機器に兼用できる。
【００２６】
【発明の実施の形態】
図１は本発明の一実施の形態の光ピックアップ装置の全体構造を示す斜視図、図２は光ピックアップ装置を移動ベース上に取り付けた状態を示す平面図、図３はレンズホルダを上側から見た平面図、図４は図３のＩＶ−ＩＶ線の切断断面図、図５は図３のＶ−Ｖ線の切断断面図、図６はレンズホルダを裏側から見たときの底面図である。
【００２７】
図２に示すように、この光ピックアップ装置１は、アルミ合金などの金属あるいは合成樹脂で成型された移動ベース１０を有している。この移動ベース１０には、Ｚ１側が開口する略箱型の凹部１１が形成されている。
【００２８】
前記移動ベース１０のＹ１側とＹ２側の両側部には、円形状のガイド穴１０ａとＵ字状のガイド溝１０ｂがそれぞれ形成されている。前記ガイド穴１０ａとガイド溝１０ｂは、装置本体の機構シャーシに平行に固定された１対の金属製のガイド軸２，３に摺動自在に挿通され、移動ベース１０がＸ１−Ｘ２方向にスライド自在となっている。前記装置本体の機構シャーシには、一方のガイド軸と平行に延びるスクリュー軸（図示せず）が設けられ、前記移動ベース１０には、このスクリュー軸のスクリュー溝に係合する係合部が設けられている。スレッドモータによって前記スクリュー軸が回転させられると、前記移動ベース１０がディスクの記録面に沿ってＸ１−Ｘ２方向へ移動させられる。
【００２９】
前記移動ベース１０の凹部１１には、金属製の固定ベース２０が設けられている。図１および図２に示すように、前記固定ベース２０上には、Ｙ２側に合成樹脂製の支持体２１が固定されており、前記支持体２１のＹ２側の側端面に取り付けられた基板２１ａに、弾性支持部材としての４本の金属製のワイヤ２２ａ，２２ｂ，２２ｃ，２２ｄの基端部がそれぞれ固定されている。各ワイヤ２２ａ〜２２ｄの先端部にはレンズホルダ２３が支持されている。レンズホルダ２３には４本の金属製の係止ピン２３ａ，２３ｂ，２３ｃ，２３ｄがＸ方向に突出して形成されており、各係止ピン２３ａ，２３ｂ，２３ｃ，２３ｄに各ワイヤ２２ａ〜２２ｄの先端が半田付けされて固定されている。その結果、前記レンズホルダ２３は、前記固定ベース２０（移動ベース１０）上においてＺ方向およびＸ方向へ可動状態に支持されている。本実施の形態では、移動ベース１０とこの移動ベース１０に固定される固定ベース２０とから、レンズホルダ２３を可動状態に支持するベース部が構成されている。
【００３０】
前記レンズホルダ２３は、全体が合成樹脂で形成されており、Ｚ１側、すなわち記録媒体であるディスクに対向する側が表側であり、これと逆のＺ２側、すなわち固定ベース２０および移動ベース１０に対向する側が裏側である。
【００３１】
図４および図５に示すように、レンズホルダ２３の表側には保持凹部２３ｊが形成されており、この保持凹部２３ｊ内に対物レンズ２４が保持されて、接着固定されている。なお、図面では対物レンズ２４を平板状に記載しているが、一般的には凸レンズまたは凹レンズによって対物レンズ２４が構成されている。レンズホルダ２３の裏側には、対物レンズ２４の直径よりも大きい面積で凹部２３ｓが形成されており、前記保持凹部２３ｊと凹部２３ｓは、光通路（アパーチャ）となる貫通孔２３ｋを介して連通されている。
【００３２】
前記凹部２３ｓには、Ｘ１側とＸ２側に対向してＺ方向に延びる垂直な内壁部２３ｓ１と２３ｓ１が形成されている。また凹部２３ｓの内底部には、光学板の設置基準となる設置基準面２３ｓ２が形成されている。この設置基準面２３ｓ２は、前記貫通孔２３ｋの軸中心と直交する面であり、すなわち対物レンズ２４が取り付けられた状態で、この対物レンズ２４の光軸Ｐと直交する平面である。前記貫通孔２３ｋは、前記設置基準面２３ｓ２において裏側に開口している。
【００３３】
図６に示すように、前記凹部２３ｓの内底部には、前記設置基準面２３ｓ２を挟むように配置された四角形状の保護部３０ａ，３０ｂ，３０ｃ，３０ｄが一体に突出形成されている。各保護部３０ａ〜３０ｄはいずれも同じ形状であり、図４に示すように、前記設置基準面２３ｓ２から各保護部３０ａ〜３０ｄの表面までの厚み寸法がＨとなるように設定されている。また前記保護部３０ａ〜３０ｄのＺ２に向く前記表面は、平坦面３０ａ１，３０ｂ１，３０ｃ１，３０ｄ１である。そして、各平坦面３０ａ１，３０ｂ１，３０ｃ１，３０ｄ１は、前記貫通孔２３ｋの軸中心線、すなわち対物レンズ２４の光軸Ｐと垂直な同一平面上に位置している。
【００３４】
さらに前記凹部２３ｓの内底部には、前記保護部３０ａと３０ｄとの間、保護部３０ｂと３０ｃとの間に、前記設置基準面２３ｓ２から裏側へ突出する規制突部３１ａ，３１ｂが一体に形成されている。
【００３５】
前記凹部２３ｓの内底部に光学板３２が取り付けられる。光学板３２は、Ｚ１側に向く表側の面が前記設置基準面２３ｓ２に突き当てられて、光学板３２の面が、貫通孔２３ｋの軸中心および対物レンズ２４の光軸Ｐと垂直となるように位置決めされる。さらに四辺形の光学板３２の各辺の縁部が、前記保護部３０ａ〜３０ｄと前記規制突部３１ａ，３１ｂのそれぞれの側面に突き当てられて、光学板３２が面の方向へ位置決めされる。この位置決め状態で、光学板３２がレンズホルダ２３に接着されて固定される。この光学板３２は、λ／４の波長板や開口フィルターなどであり、波長板では位相差を発生させて直線偏向と円偏向を切り換える機能が発揮され、開口フィルターでは所定の波長の光のみを通過させる機能が発揮される。
【００３６】
図６に示すように、前記光学板３２は各辺の長さ寸法がそれぞれＷ１の正方形状である。前記保護部３０ａと３０ｂとの間隔、及び前記保護部３０ｃと３０ｄとの間隔をそれぞれＷ２とし、前記保護部３０ａと３０ｄとの間隔、及び前記保護部３０ｂと３０ｃとの間隔をそれぞれＷ３とすると、前記間隔寸法Ｗ３は、前記長さ寸法Ｗ１とほぼ同じか長さ寸法Ｗ１より僅かに長く設定されており、前記間隔寸法Ｗ２は、前記長さ寸法Ｗ１よりも短い。したがって、光学板３２は、前記保護部３０ａ〜３０ｄおよび規制突部３１ａ，３１ｂの間に隙間なく嵌め込まれて位置決めされる。
【００３７】
図４に示すように、前記光学板３２の厚み寸法をＤｔとすると、この厚み寸法Ｄｔは前記保護部３０ａ〜３０ｄの厚み寸法Ｈよりも薄く形成されている。したがって、前記光学板３２が前記設置基準面２３ｓ２に設置されて固定された状態で、前記保護部３０ａ〜３０ｄの各平坦面３０ａ１〜３０ｄ１は、前記光学板３２よりも裏側（Ｚ２側）に突出する。
【００３８】
なお、図５に示すように、前記設置基準面２３ｓ２から前記規制突部３１ａ，３１ｂの表面までの高さ寸法をｈとすると、この高さ寸法ｈは、前記保護部３０ａ〜３０ｄの厚み寸法Ｈよりも低くなっており、規制突部３１ａ，３１ｂの表面が前記保護部３０ａ〜３０ｄの表面よりも裏側へ突出しないようになっている。
【００３９】
図２に示すように、前記移動ベース１０には、レーザーダイオードなどの発光素子２７と、この発光素子２７から発せられた検知光を前記対物レンズ２４に送り、また記録媒体であるディスクＤからの反射光を受光する受光素子が設けられている。この光学系には、他の光学部材である反射板２８が設けられ、この反射板２８は、前記移動ベース１０の凹部１１内に固定されている。前記固定ベース２０には、レンズホルダ２３の下面に対向する部分が切り欠かれており、前記反射板２８の上部側が固定ベース２０の切り欠きに挿通されてＺ１側に延びている。
【００４０】
図５に示すように、反射板２８は、その反射面２８ａが前記発光素子２７の方向であるＹ１方向および対物レンズ２４の光軸Ｐの双方に対して４５度の角度に向けられて配置されている。また図４に示すように、反射板２８の幅寸法Ｗ４は前記光学板３２の幅寸法Ｗ１よりも長くなっており、反射板２８の上面の左右両側部が、保護部３０ｂと３０ｃに対向している。
【００４１】
前記発光素子２７から発せられた検知光は、他の光学系を経て前記反射板２８に至り、この反射板２８の反射面２８ａにより直角に反射させられて、そして前記対物レンズ２４で集光されてディスクＤに照射される。またディスクＤからの反射光は、対物レンズ２４を通過して反射板２８で反射され、前記他の光学系を経て、前記移動ベース１０に設けられた受光素子で受光される。
【００４２】
図１に示すように、固定ベース２０は、凹部１１の底面に沿う底板２０ｄを有し、前記底板２０ｄのＹ１側とＹ２側の各端部には、垂直に折り曲げ形成されたヨーク２５ａ，２５ｂが互いに対向して形成されている。このヨーク２５ａ，２５ｂのそれぞれ内側にマグネット２６ａ，２６ｂが固定されている。
【００４３】
前記レンズホルダ２３には、その側面の全周に渡って溝部２３ｍが形成されて、この溝部２３ｍに銅線を所定周回数巻回して形成されたフォーカシングコイルＣｆが設けられている（図４と図５参照）。このフォーカシングコイルＣｆは、１本の銅線で形成され、その一端が前記係止ピン２３ｂに巻きつけられ、他端が前記係止ピン２３ｄに巻きつけられている。
【００４４】
また前記レンズホルダ２３には、Ｙ１側に向く側面に１対のコイル巻付部２３ｅ，２３ｈが前記マグネット２６ａに対向して設けられ、Ｙ２側に向く側面に１対のコイル巻付部２３ｆ，２３ｇが前記マグネット２６ｂに対向して設けられている。前記コイル巻付部２３ｅ，２３ｆ，２３ｇ，２３ｈには、銅線を所定回数巻回して形成されたトラッキングコイルＣｔがそれぞれ設けられている。このトラッキングコイルＣｔは、１本の銅線で形成されて、その一端が係止ピン２３ａに巻きつけられ、そしてコイル巻付部２３ｅ，２３ｆ，２３ｇ，２３ｈに順番に巻きつけられて、他端が係止ピン２３ｃに巻きつけられている。
【００４５】
このように、レンズホルダ２３、対物レンズ２４、フォーカシングコイルＣｆ、トラッキングコイルＣｔおよび光学板３２により、前記ベース部に対して可動な組立体が構成されている。
【００４６】
前記フォーカシングコイルＣｆとトラッキングコイルＣｔからなるムービングコイルが、前記マグネット２６ａと２６ｂとの間に設置されて、ムービングコイル方式の補正駆動手段が形成されている。前記補正駆動手段では、前記フォーカシングコイルＣｆに与えられる補正電流により、レンズホルダ２３がフォーカシング方向（Ｚ１−Ｚ２方向）へ微駆動され、前記トラッキングコイルＣｔに与えられる補正電流により、レンズホルダ２３がトラッキング方向（Ｘ１−Ｘ２方向）へ微駆動される。
【００４７】
前記レンズホルダ２３の重心の高さ位置は、前記補正駆動手段での駆動力の作用中心に一致し、また前記重心の高さ位置は、ワイヤ２２ａ，２２ｂ，２２ｃ，２２ｄによる支持中心に一致している。詳しくは、フォーカシングコイルＣｆの高さ方向の中心と、トラッキングコイルＣｔの巻き中心の高さ位置、および係止ピン２３ａと２３ｂとの中心、ならびに係止ピン２３ｃと２３ｄとの中心が、レンズホルダ２３の重心と一致している。そして、前記光学板３２の板厚中心が前記重心の高さ位置に一致している。したがって、光学板３２を取り外してもレンズホルダ２３を含む組立体全体の重心の位置がＺ方向へ位置ずれすることがない。
【００４８】
前記固定ベース２０には、前記底板２０ｄのＹ１側においてＸ方向に間隔を開けた両端部から垂直上方（Ｚ１方向）に折り曲げられた起立片２０ｅ，２０ｇが設けられ、またＹ２側で且つＸ１側の側部からも垂直上方へ折り曲げられた起立片２０ｆが設けられている。
【００４９】
前記起立片２０ｅと２０ｆの先端には、水平方向に折り曲げられた取付片２０ａと２０ｂが形成されている。また前記起立片２０ｇの先端にも、水平方向に折り曲げられた支持片２０ｃが形成されている。前記取付片２０ａ，２０ｂには、それぞれ雌ねじ穴２０ａ１，２０ｂ１が形成され、前記支持片２０ｃには半球状のピボット２０ｃ１がＺ２側に突出して形成されている。
【００５０】
前記移動ベース１０には、図２においてＹ方向の略中央部で且つＸ１側の上端に基準面１３が形成されている。基準面１３には、半球状の凹面が形成されており、この凹面に前記ピボット２０ｃ１が支持される。またピボット２０ｃ１が形成された支持片２０ｃの上に板ばね４１が載せられ、前記板ばね４１の基端がねじ４２で前記移動ベース１０の上面に固定されている。この板ばね４１によって、前記ピボット２０ｃ１が、前記基準面１３の凹面に押え付けられている。
【００５１】
また、前記移動ベース１０の裏側（Ｚ２側）から調節ねじ１５が挿入されて、調節ねじ１５の先端が前記取付片２０ａの雌ねじ穴２０ａ１に螺着されている。前記調節ねじ１５の外周には圧縮コイルスプリング（図示せず）が介装されて、前記取付片２０ａは前記圧縮コイルスプリングによって、前記移動ベース１０から離れる方向へ付勢されている。同様に、前記移動ベース１０の下側から調節ねじ１６が挿入されて、調節ねじ１６の先端が前記取付片２０ｂの雌ねじ穴２０ｂ１に螺着されている。そして、調節ねじ１６の外周に圧縮コイルスプリング（図示せず）が装着されて、前記取付片２０ｂは移動ベース１０から離れる方向へ付勢されている。
【００５２】
このように移動ベース１０に固定ベース２０が組付けられた状態で、移動ベース１０を調整用のディスク装置に設置し、対物レンズ２４を調整用のディスクに対向させる。そして調節ねじ１５を締め付けまたは弛めることで、ピボット２０ｃ１を支点として対物レンズ２４の光軸をＸ１方向またはＸ２方向へ倒す調節が可能となる。また、調節ねじ１６を締め付けまたは弛めることで光軸をＹ１方向またはＹ２方向へ倒す調節が可能になる。これにより、対物レンズ２４の光軸のラジアル方向とタンジェンシャル方向への傾き調節ができる。この調節が完了した時点で、調節ねじ１５，１６が接着剤で固定される。
【００５３】
図１に示すように、前記ヨーク２５ａにはアーチ状の切欠部２５ａ１が形成されている。また前記レンズホルダ２３のＹ１側の側面には、図４に示すように、台形状の切欠部２３ｎが形成されている。前記切欠部２５ａ１と２３ｎはＹ方向に互いに重なるように位置決めされている。なお図示していないが、前記ヨーク２５ａとレンズホルダ２３の間に設けられているマグネット２６ａは、前記切欠部２５ａ１と２３ｎを塞がない寸法となっている。
【００５４】
図４に示すように、移動ベース１０に固定された反射板２８は、その上部側がレンズホルダ２３の凹部２３ｓ内に収まっており、発光素子２７からの検知光が、前記切欠部２５ａ１と２３ｎを通過して、反射板２８に与えられる。前記のように、光学板３２をレンズホルダ２３を含む組立体の重心に配置することで、光学板３２と対物レンズ２４との距離を接近させることができ、しかもレンズホルダ２３の凹部２３ｓ内に反射板２８を配置することにより、光ピックアップ装置全体を薄型にできる。
【００５５】
また、レンズホルダ２３の裏側の凹部２３ｓ内には保護部３０ａ，３０ｂ，３０ｃ，３０ｄが設けられ、その表面が光軸Ｐと垂直な同一面にあり、しかも各保護部３０ａ，３０ｂ，３０ｃ，３０ｄの表面は、光学板３２よりも裏側に突出している。よって、レンズホルダ２３に前記対物レンズ２４、光学板３２、フォーカシングコイルＣｆ、及びトラッキングコイルＣｔを取り付けた後に、前記保護部３０ａ，３０ｂ，３０ｃ，３０ｄの表面を治具に当接させて、光学板３２に外力を与えることなく、レンズホルダ２３を固定ベース２０上に位置決めすることができる。レンズホルダ２３の上面の対物レンズ２４から外れた位置に一対の位置決め孔２３ｉ，２３ｉが形成されている。よって、前記保護部３０ａ，３０ｂ，３０ｃ，３０ｄを治具に突き当て、前記位置決め孔２３ｉ，２３ｉにピン形状の治具（図示せず）を挿入して、レンズホルダ２３のＸ−Ｙ平面内での位置を調節することができる。
【００５６】
この位置決め工程後、前記４本のワイヤ２２ａ，２２ｂ，２２ｃ，２２ｄと前記係止ピン２３ａ，２３ｂ，２３ｃ，２３ｄとを半田付けにより固定する。
【００５７】
また、本実施の形態の光ピックアップ装置１の可動時において、または外部振動により、レンズホルダ２３がフォーカシング方向に過度に移動して、前記レンズホルダ２３と前記反射板２８とが接触したしても、図５に示すように、反射板２８の幅寸法Ｗ４は光学板３２の幅寸法Ｗ１よりも大きく設定されているため、反射板２８の上端部が前記保護部３０ｂと３０ｃのみに当たるだけで、前記光学板３２が破損することはない。また保護部３０ａないし３０ｄは、レンズホルダ２３と同じ合成樹脂で一体形成されているため、この保護部３０ａ〜３０ｄに反射板２８が当たったとしても反射板２８が傷つくこともない。
【００５８】
【発明の効果】
以上説明した本発明では、レンズホルダに光学板を取り付けたものにおいて、全体を薄型にでき、しかも光学板を保護することができる。さらにレンズホルダの位置決めも容易であり、また光学板を除去した機種にも兼用可能である。
【図面の簡単な説明】
【図１】本発明の光ピックアップ装置を示す斜視図、
【図２】本発明の光ピックアップ装置の全体を示す平面図、
【図３】レンズホルダを上側から見たときの平面図、
【図４】図３のＩＶ−ＩＶ線で切断したときの断面図、
【図５】図３のＶ−Ｖ線で切断したときの断面図、
【図６】レンズホルダを裏側から見たときの底面図、
【図７】従来の光ピックアップ装置に搭載されるレンズホルダを示す断面図、
【符号の説明】
１０  移動ベース
２０  固定ベース
２１  支持体
２２ａ〜２２ｄ  ワイヤ（弾性支持部材）
２３  レンズホルダ
２３ａ〜２３ｄ  係止ピン
２３ｋ  貫通孔
２３ｓ  凹部
２３ｓ２  設置基準面
２４  対物レンズ
２８  反射板（光学部材）
３０ａ〜３０ｄ  保護部
３０ａ１〜３０ｄ１  平坦面
３１ａ，３１ｂ  規制突部
３２  光学板
【図１】
2004178658.tif 000003
【図２】
2004178658.tif 000004
【図３】
2004178658.tif 000005
【図４】
2004178658.tif 000006
【図５】
2004178658.tif 000007
【図６】
2004178658.tif 000008
【図７】
2004178658.tif 000009